Podtech/llm-jp-corpus-v4-ja_patent huggingface dataset:
(57)【要約】　　　（修正有）【課題】ペットボトルのラベル除去の品質向上をはかり、リサイクルを容易にする機械を提供する。【解決手段】本体１の搬入口２から落下した提灯状、烏賊状に圧縮されたペットボトルは、本体１の円筒の中心に設けた回転軸６とそれに付随する回転刃８により外側に押し出され、邪魔板と回転刃８により円筒中壁に叩きつけられるとともに、邪魔板にぶつかった衝撃により、ペットボトルからラベルが取り除かれる。一方、本体１の上部のラベル排出口３に通じる通路に、ブロワー５が設けられ、このブロワー５と回転刃８の回転により、ペットボトル排出口４から流入した空気は渦流を起こし上昇する。比重差により、ペットボトルは上昇流に抗して下方に落下しペットボトル排出口４から排出され、ラベルは上昇流にのってラベル排出口３から排出される。【選択図】図３
2004130766.tif 000002
【特許請求の範囲】
【請求項１】
サイズの異なったペットボトルを混合して投入しても回転軸に取り付けられた羽の回転でラベルを取り除く機械
【請求項２】
使用済みペットボトルは自治体によっては圧縮梱包する為提灯状になったペットボトルでもラベルを取り除く機構
【請求項３】
上記の圧縮されたものには、のし烏賊状のものもあるが、このラベルも取り除く機構
【請求項４】
取り除かれたラベルとボトル本体を分離して各々収納袋に収納する機構
【発明の詳細な説明】
【０００１】
【発明の属する技術分野】
本発明は自治体等により回収され無差別に圧縮されたペットボトルのラベルを取り除きフレークの品質の向上を計り、リサイクルを容易にし貴重な石油資源を節約することに供するものである
【０００２】
【従来の技術】
無差別に圧縮されたペットボトルの特に極端な形状の物は焼却処分かフレークに破砕後風選によって分離する方法が行われている
【０００３】
風選による分離は能率が悪く残留があり、純度が低下している
【発明が解決しようとする課題】
本発明は上記の従来の問題点に着目してなされたもので焼却処分又は人力で行われたラベルの除去を機械で正確、迅速に処理することが目的である
【０００４】
本発明の第２の目的はよりシンプルにして機械のメンテナンスが不要のことである
【０００５】
本発明の第３の目的は機械の停止時間を無くし効率のよい作業を実現することである
【０００６】
安全性の確保の為本体部分を含めて肉厚構造とした
【０００７】
【課題を解決する為の手段】
今までこの種の圧縮されたペットボトルは人力でカッターナイフ等でラベルを取り除き多大な時間と危険がある為機械で短時間且つ安全に取り除く方法を確立した
【０００８】
よりシンプルな構造としメンテナンスを不要としたことである
【０００９】
ラベルとペットボトル本体を機構の中で分離し各々別に収納する機構とした
【発明の実施の形態】
以下本発明の実施の形態を図面を参照して詳述する
【００１０】
図１は本発明に係わるラベルを取り除く機械の斜視図
図２は同機械の側面破断図、図３は筒内部の空気の流れを示す
【００１１】
本発明に係わる機械は円筒の本体▲１▼と搬入口▲２▼、ラベルの排出口▲３▼ペットボトル排出口▲４▼からなる
【００１２】
図１の搬入口▲２▼は円筒形本体を渦巻状に巻いて取りつけられ飛抹の飛び散りを防ぐとともに渦流を生じやすくする
【００１３】
▲２▼の搬入口より落下したペットボトルは▲１▼の本体円筒の中心に設けた６の回転軸とそれに付随する▲８▼の回転刃により遠心力を生じ外側に押し出される
【００１４】
固定された２０個の邪魔板▲９▼と▲８▼の回転刃により円筒中壁に叩きつけられる
【００１５】
提灯状に圧縮されたペットボトルは▲８▼と▲９▼によって引き延ばされラベルが取り除かれる
【００１６】
烏賊状に圧縮されたペットボトルは▲９▼の邪魔板にぶつかった衝撃によりラベルが取り除かれる
【００１７】
ペットボトルとラベルは比重に差があり且つ遠心力により外側に飛散するがより重いペットボトル本体が外側に飛散する
【００１８】
図３の如く排出口▲４▼から内部に向かって供給された空気は▲８▼の回転刃の回転により回転軸を中心に渦流を起こし上昇する
【００１９】
▲５▼のブロワーは渦流を起こし上昇気流をたすける為の補助的機械である
【００２０】
遠心力により外側に集められたペットボトル本体は上昇気流に抵抗しながら下方に落下する
【００２１】
▲１１▼の排出板により落下したペットボトルは▲４▼の排出口より排出される
【００２２】
回転軸の周辺の上昇気流は▲５▼のブロワーの助けを得てラベルを上昇させ排出口▲３▼よりラベルを排出させる
【００２３】
【発明の効果】
以上詳述したように本発明に係わる使用済ペットボトルのラベルを取り除きフレークの品質を向上させる機械によれば従来、カッター、ナイフ等で人力で取り除いた提灯状、烏賊状の圧縮された形のラベルを取り除くことが出来ると共に作業者の安全を計り能率を増進する
【図面の簡単な説明】
【図１】本発明に係わる全体図の斜傾図である
【図２】図１の斜傾図の断面図の一部である
【図３】円筒内の空気の流れを示す
【符号の説明】
▲１▼　本機械の外周
▲２▼　使用済みベットボトルの投入口
▲３▼　ラベルの排出口
▲４▼　ペットボトル本体の排出口
▲５▼　補助ブロワー
▲６▼　回転軸
▲７▼　回転刃補強
▲８▼　回転刃
▲９▼　邪魔板
▲１０▼　回転モーター
▲１１▼　排出板
【図１】
2004130766.tif 000003
【図２】
2004130766.tif 000004
【図３】
2004130766.tif 000005
(57)【要約】　　　（修正有）【課題】従来のノック式シャープペンシルでは、芯繰り出しチャック５と芯の出口の間の長さより芯が短くなると芯の保持ができなくなり芯が回転して書きにくくなるため、その長さ以下の芯が無駄になることが多い。そこで、芯がほぼ最後まで使えるノック式シャープペンシルを提供する。【解決手段】本発明のノック式シャープペンシルでは、芯出口ガイド１の先端にコレットチャック方式の手動のロック機構を設け、芯繰り出しチャック５からはずれた短い芯３を、芯出口ガイド１先端でノック後、手動でロックし芯の回転を防止し芯が最後まで使えるようにして芯の無駄にする量をほぼ無くすものである。その他の部分は従来のノック式シャープペンシルと同様である。【選択図】図１
2004130765.tif 000002
【特許請求の範囲】
【請求項１】
ノック式シャープペンシルにおいて、芯の出口ガイド先端のコレットチャック方式による手動の芯ロック機構。
【発明の詳細な説明】
【０００１】
【発明の属する技術分野】
本発明は、ノック式シャープペンシルにおいて芯が最後まで使用可能な芯のロック機構に関する。
【０００２】
【従来の技術】
従来のノック式シャープペンシルでは、芯繰り出しチャックと芯の出口までの距離より芯が短くなると、芯の保持ができなくなり芯が回転して書きにくくなるため、その長さ以下の芯が無駄になることが多い。
【０００３】
【発明が解決しようとする課題】
本発明は、芯がほぼ最後まで使えるノック式シャープペンシルを提供するものである。
【０００４】
【課題を解決するための手段】
上記目的を達成するために、本発明のノック式シャープペンシルでは芯出口ガイドの先端にコレットチャック方式の手動のロック機構を設ける。芯が短くなり芯の繰り出しチャックからはずれた状態の芯を手動でロックし芯の回転を防止してシャープペンシルを使用する。芯が減ったとき芯のロックを手動で解除し、その後ノックすることにより次の新しい芯に押されて、短い芯が繰り出される。ここで再度、手動で短い芯をロックしてシャープペンシルを使用する。これを繰り返すことにより芯がほぼ最後まで使用可能となる。
【０００６】
【発明の実施の形熊】
図１において、本発明の手動式芯ロック機構では、芯出口ガイド１がノック式シャープペンシル胴部７にねじ込んで固定されており、芯出口ガイド１の芯出口先端はテーパ形状で割りが入っている。キャップ型ロックナット２を回すことによりキャップ型ロックナット２が芯出口ガイド１とねじでかみ合っていることから、キャップ型ロックナット２が芯の出口方向に動き、芯出口ガイド１先端のテーパ部を押し、短い芯３が圧迫されてロックされる。またキャップ型ロックナット２を逆方向に回すことにより短い芯３のロックが解除される。
【０００７】
【発明の効果】
ノック式シャープペンシルの芯の無駄にする量をほぼ無くすことができる。芯１本当り無駄になる量は１〜２ｍｍ程度となる。
【図面の簡単な説明】
【図１】本発明のノック式シャープペンシルの芯のロック機構の断面図である。
【符号の説明】
１．芯出口ガイド
２．キャップ型ロックナット
３．短い芯
４．次の新しい芯
５．芯繰り出しチャック
６．ロックリング
７．ノック式シャープペンシル胴部
【図１】
2004130765.tif 000003
(57)【要約】　　　（修正有）【課題】花びらのようなやわらかな動きをもつ粘土デザインを提供する。【解決手段】純銀粘土をクッキングペイパーに挟んで薄く延ばし、上部のペイパーを取り、更に薄く下部のペイパーで水分を取りながら伸ばして、銀の丸線に貼り、高温で焼成する。これにより、銀素材の硬い仕上がりのものが、花びらのような動きを出せる。【選択図】図１
2004130770.tif 000002
【特許請求の範囲】
【請求項１】
実用新案
【請求項２】
意匠権
【発明の詳細な説明】
【発明の効果】
従来の純銀粘土は、乾燥を考えて創りあげていたものがある中で、銀の丸線を使うことと、クッキングペイパーに挟み薄く延ばし、上部のペイパーを取り更に薄く下部のペイパーで水分を取りながら伸ばして、銀の丸線に貼り、高温で焼成することにより純銀粘土が縮み花びらのやわらかな動きが生まれる。銀素材の硬い仕上がりなものが、銀の丸線を使用したことと、うすくのばしたことで、焼成したのちに花びらのような動きを出せたこと。
純銀粘土を使用、楽しむにあたってよりデサイン・使用方法に更なる可能性のきっかけになるべき発案であることを確信している。
【図面の簡単な説明】
【図１】工程図
【図２】完成写真貼り付け
【図１】
2004130770.tif 000003
【図２】
2004130770.tif 000004
(57)【要約】【課題】本発明は、メモ等の保持を３６０度の全方位に多重構造とし、各用途に応じた複数の挟持部分を設け、且つ、数種類からなる着脱方式を採用し磁性材・非磁性材その他、全ての被取付け面に対応でき、さらに、筆記用具類の収納部を持ち合わせたマルチメモクリップを提供することを目的とする。【解決手段】本発明は被取付け面に、弾性変形する素材よりなる円錐形状の吸盤部（１）と、その底部をマグネット類（２）等で固着部を合体構成し、その先端の挟持部分（ａ）、および（ａ’）でメモ用紙等を支持し、さらに、その上部の押圧部分（３）からなる挟持部分（ｂ）と、複数の緊結具（４）等を用いる筆記用具類の収納部として兼用できる貫通孔（５）を設けた基部で、一体成型させた複数の挟み持ち部分で、３６０度全方向面にメモ用紙等を、数多く差込める多重構造とした。【選択図】　　図１
2004130764.tif 000002
【特許請求の範囲】
【請求項１】
被取付け面に、弾性変形する素材よりなる円錐形状の吸盤部（１）と、その底部をマグネット類（２）等で固着部を合体構成し、その先端の挟持部分（ａ）、および（ａ’）でメモ用紙等を支持し、さらに、その上部の押圧部分（３）からなる挟持部分（ｂ）、並びに複数の切込み溝（ｃ）と、複数の緊結具（４）等や筆記用具類の収納部として、兼用できる貫通孔（５）を設けた基部で、全周を圧接するように、一体成型したことを特徴とするマルチメモクリップ。
【発明の詳細な説明】
【０００１】
【発明の属する技術分野】
本発明は、メモ用紙やレシート・整理券などの紙片等を自在に着脱し、整理整頓するために用いることを目的としたマルチメモクリップに関するものである。
【０００２】
【従来の技術】
従来から冷蔵庫の扉やホワイトボード等にメモ用紙やレシート・整理券などの紙片等を取付けるものとして、クリップの裏面に吸盤や磁石あるいは粘着材等からなるもので、クリップを固着し、その後メモ等を挟持するものがある。これらのクリップでは、メモ等を挟む方向が一方向であるため、挟持できる方向が限定されていた。これらに対した問題を解決するクリップとして、特許第３１２２７４６号公報に記載されているクリップが知られている。このクリップは、メモ等の保持力が３６０度の全方向からでき、保持した後も外れにくく、さらに保持する動作が片手で容易に、かつ、確実にできる構造のものである。
【０００３】
【発明が解決しようとする課題】
しかしながら本発明の目的は、上記従来例の保持できる限度の範囲と、吸盤や磁石或いは粘着材等で限定された、固着方法の欠点を解決するため、メモ等の保持を３６０度の全方向に多重構造とし、各用途に応じた複数の挟持部分を設け、且つ、数種類からなる着脱方式を採用し磁性材・非磁性材その他、全ての被取付け面に対応できるようにした。さらに、筆記用具類の収納部を持ち合わせたマルチメモクリップを提供することを目的とする。
【０００４】
【課題を解決するための手段】
上記目的を達成のため本発明では、被取付け面に、弾性変形する素材よりなる円錐形状の吸盤部（１）と、その底部をマグネット類（２）等で固着部を合体構成し、その先端の挟持部分（ａ）、および（ａ’）でメモ用紙等を支持する。さらに、その上部の押圧部分（３）からなる挟持部分（ｂ）、並びに複数の切込み溝（ｃ）と、複数の緊結具（４）等や筆記用具類の収納部として、兼用できる貫通孔（５）を設けた基部で、全周を圧接するように一体成型させた。即ち、複数の挟持部分により３６０度全方向面にメモ用紙等を、挟持状態から脱落防止や傷つけることなく、数多く差込める多重構造としたことを特徴とする。
【０００５】
【発明の実施の形態】
以下本発明の実施の形態について説明する。
イ　　本発明の実施形態としては、軟質の合成樹脂材料等や、または、プラスチックマグネット類で作られている円錐形状の吸盤部（１）とマグネット類（２）と、押圧部分（３）で合体した貫通孔（５）へ、複数の緊結具（４）等で、被取付け面に固定し、その各先端にある挟持部分で、メモ用紙等を滑りにくくすると共に、全周を圧接し保持性を高め、確実に挟持できる構成とした。
ロ　　被取付け面に、円錐形状の吸盤部（１）とマグネット類（２）または粘着材等や、複数の緊結具（４）等で固定維持できる構成なので、一般ボード面や磁性ボード面類、その他に兼用利用が可能なので広範囲の用途に使用できる。また、吸盤部を用いて吸着固定しない場合に、挟持部分（ａ）の先端部分を有効利用できる。
ハ　　なお、被取付け面に、吸盤部で吸着固定する場合には、貫通孔（５）の下部が皮膜層（６）で被覆され吸盤機能を有するので、挟持部分（ａ）を用いることができないので、その上部にある挟持部分（ｂ）にメモ用紙等を差込む構成とした。また、貫通孔（５）は、筆記用具類受の収納部を兼用できる構造とした。
ニ　　皮膜層（６）は、吸盤部と同じ材質で一体成型とし、貫通孔（５）の下部に設け、吸盤部で吸着時の空気の漏れを防ぐと共に、複数の緊結具（４）等を用いて、被取付け面に固定する際に、容易に貫通できるような構造としたことで、挟持部分（ａ）と挟持部分（ｂ）の双方を利用できるようになった。
ホ　　さらに、押圧部分（３）からなる円錐形状の挟持部分（ｂ）の先端部分から、複数の切込み溝（ｃ）を設けることで、名刺・整理券等を挟持できるように付加価値を持たせた。従って、上記に記述した通り、マルチメモクリップの構造は、磁性材や非磁性材その他の、被取付け面全てに対応できるように機能拡大した。
ヘ　　その他の応用例としては、挟持部分（ａ）を被取付け面に、吸盤部として使用した場合でも、吸盤部先端を常時使用できる状態とするため、挟持部分（ａ）の先端部分に個々の保持力を強固にすべく、複数の切込み溝（ｃ）の形状を持った挟持部分（ａ’）を設ける。
ト　　複数の緊結具（４）等を用いることで美観上、貫通孔（５）の入口部分内側に雌ネジ溝を設け、緊結具を締付けた後に雄ネジ付きキャップで蓋をする構造とした。さらに、このキャップの表面上に筆記用具類、その他を収納できる補助具を配置した。
以上、本発明の代表的と思われる実施例を説明したが、必ずしもこれらの実施例にとらわれるものではない。なお、構造・形態・材質等に関しては、弾性体からなるものであれば特別限定されるものではない。
【０００６】
【発明の効果】
本発明は、上記の通りの構成であるから、メモ用紙等を３６０度の全方向面からも、片手で容易に挟持状態を確実に保持できる。また、被取付け面に、確実に取付けられる複数の固定方式を用いているので、広範囲に渡る被取付け面が対象となる。さらに、吸盤部の吸着を解除するフック（ｄ）を、挟持部分（ａ）の下部に付加させたことで、ゴミ袋類や小物掛け等を吊下げられ、利用価値を大幅に拡大できる効果がある。
【図面の簡単な説明】
【図１】本発明の断面図。
【図２】本発明の平面図。
【図３】本発明の取付け状態を示す正面図。
【符号の説明】
１　円錐形状の吸盤部
２　マグネット類
３　押圧部分
４　複数の緊結具（画鋲・ビス類等）
５　貫通孔（筆記用具類受兼用）
６　皮膜層
ａ　挟持部分
ａ’　挟持部分
ｂ　挟持部分
ｃ　複数の切込み溝
ｄ　フック
【図１】
2004130764.tif 000003
【図２】
2004130764.tif 000004
【図３】
2004130764.tif 000005
(57)【要約】【課題】ファイルに綴じた書類の内容を見る時に、紙の重みで閉じてしまう。特に表紙に近いページを開いた場合には、一方の重みが大きく、すぐに閉じてしまうので、開いた該当ページを手で押さえていたり、重石を載せたりしなければならずに不便である。そこで書類の開いたページを固定できる簡易な止め具を提供する。【解決手段】書類５の開いたページを固定するために、ファイル表紙２の折り部が曲がらずに水平に近い状態を保つことができるように、ファイル用表紙止め具１を装着させる。このファイル用表紙止め具１は、通常はファイル表紙２の折り部３にかかっていない部分に付属させておき、使用する場合には折り部３にスライドさせるだけで簡単にセットできる。またファイル用表紙止め具１を元の位置に戻せば、解除ができる構成にしたことを特徴とする。【選択図】　図２
2004130769.tif 000002
【特許請求の範囲】
【請求項１】
ファイルに綴じた書類の開いたページを固定するため、ファイルの表紙と裏表紙が折り曲がらずに水平の状態を保つように、コの字型の形状をした止め具をファイル表紙に装着し、この止め具が折り部を介してスライドできるようにしたファイル用表紙止め具。
【発明の詳細な説明】
【０００１】
【発明の属する技術分野】
本発明は、ファイル表紙に装着した簡易な止め具を使用して、ファイルの表紙と裏表紙が折り曲がらずに水平の状態を保つことができるようにすることにより、ファイルに綴じた書類の開いたページを、開いたままの状態で固定できるようにしたものである。
【０００２】
【従来の技術】
ファイルに綴じた書類が閉じないようにするため、書類を押さえるための専用器具を使用したり、重石を載せたりしていたが、ファイル表紙に付属した止め具により、開いたページを固定できるものはなかった。
【０００３】
【発明が解決しようとする課題】
ファイルに綴じた書類の内容を見る時に、紙の重みで閉じてしまうので、開いた該当ページを手で押さえたり、重石を載せる必要があり面倒であった。また重石等を載せた場合に、ページを捲るたびに、いちいち重石を載せ返る必要があり不便であった。
【０００４】
【課題を解決するための手段】
ファイルに綴じた書類５の開いたページを固定するため、ファイル表紙２の表と裏が折り曲がらずに水平の状態を保つように、コの字型の形状をしたファイル用表紙止め具１をファイル表紙２に装着し、このファイル用表紙止め具１が折り部３を介してスライドできるようにしたものである。
【０００５】
【発明の実施の形態】
（イ）本発明のファイル用表紙止め具１は、コの字型をした形状の硬質プラスチック等の材質で作られた簡易な部品で構成する。
（ロ）このファイル用表紙止め具１を、通常使用しない時には、ファイル表紙２の折り部３にかかっていない状態で、表と裏部分の双方に一対で、コの字で挟み込むような状態で付属しておく。
（ハ）書類５の開いたページを固定するために、この機能を使用する場合は、ファイル用表紙止め具１の双方を、ファイル表紙２の折り部３にスライド移動させる。
（ニ）このファイル用表紙止め具１によって、書類５の重みでファイル表紙２の折り部３が折り曲がるのを防止して、水平の状態を保つことができるため、結果的に書類５も固定される。
【０００６】
【発明の効果】
このファイル用表紙止め具１は、通常はファイル表紙２の折り部３にかかっていない状態で付属しておき、使用する場合にスライドさせるだけで良いので、簡単にセットおよび解除ができる。
また書類を直接に押さえないので、邪魔にならずにページ捲りも楽にできる。
【図面の簡単な説明】
【図１】本発明の使用状態の平面図
【図２】本発明の使用状態の図
【図３】ファイル表紙の折り部にかかっていない状態の平面図
【図４】ファイル用表紙止め具の斜視図
【図５】ファイル表紙に装着している状態の部分断面図
【符号の説明】
１　ファイル用表紙止め具
２　ファイル表紙
３　折り部
４　綴じ金具
５　書類
【図１】
2004130769.tif 000003
【図２】
2004130769.tif 000004
【図３】
2004130769.tif 000005
【図４】
2004130769.tif 000006
【図５】
2004130769.tif 000007
(57)【要約】【課題】間伐材や小径木を含めた丸太から、高い歩留まり率で板材を製造する方法を提供する。【解決手段】間伐材や小径木を含む丸太１を、長手方向に切断して複数の原板材２を製造する切断工程と、前記原板材２の両側端部を切り落とし、該原板材２を台形状の台形板３に製造する切落とし工程と、前記台形板３を複数、その末口Ｔと元口Ｂを交互に配し、接着剤を介して横はぎし、平板材４を製造する横はぎ工程と、前記平板材４を必要な寸法にカットして板材５を製造するカット工程と、からなる。【選択図】　　　図１
2004130694.tif 000002
【特許請求の範囲】
【請求項１】
間伐材や小径木を含む丸太（１）を，長手方向に切断して複数の原板材（２）を製造する切断工程と、
前記原板材の両側端部を切り落とし，該原板材を台形状の台形板（３）に製造する切落とし工程と、
前記台形板を複数，その末口（Ｔ）と元口（Ｂ）を交互に配し，接着剤を介して横はぎし，平板材（４）を製造する横はぎ工程と、
前記平板材を必要な寸法にカットして板材（５）を製造するカット工程と、からなる板材製造方法。
【発明の詳細な説明】
【０００１】
【発明の属する技術分野】本発明は、間伐材や小径木を含む丸太から、高い歩留まり率で板材を製造することのできる板材製造方法に関するものである。
【０００２】
【従来の技術】近年、国産材の生産および利用が減少する反面、輸入材の大量進出により、国内外における木材の需要と供給のアンバランス化が生じている。従って、いかに低コストで木材を仕入れ、その木材を無駄なく有効に利用するかが、木材業界では重要な課題となっている。すなわち、最も重要な点は、丸太から板材を製造する際における歩留まりの向上を図ることである。
【０００３】
一方、間伐材や小径木の有効利用が十分になされておらず、その殆どを粉砕してチップにしているのが現状である。そのチップも、南洋材などの低コストな外材に押されている。従って、間伐材や小径木を利用して、チップではなく、板材を製造して歩留まり率を高めることも重要な課題となっている。
【０００４】
現在、丸太を板材に製品化するまでの歩留まり率は約５０％である。この歩留まり率を高めることができれば、市場に廉価な板材を大量に供給することができる。また、国内の間伐材や小径木を利用して板材を製造することができれば、地場産業の活性化にも貢献できる。
【０００５】
本発明はこうした諸点に鑑み創案されたもので、間伐材や小径木を含めた丸太から、高い歩留まり率で板材を製造することのできる板材製造方法を提供することを課題とする。
【０００６】
【課題を解決するための手段】図１を参照して説明する。本発明に係る板材製造方法は、間伐材や小径木を含む丸太１を、長手方向に切断して複数の原板材２を製造する切断工程と、前記原板材２の両側端部を切り落とし、当該原板材２を台形状の台形板３に製造する切落とし工程と、前記台形板３を複数、その末口Ｔと元口Ｂを交互に配し、接着剤を介して横はぎし、平板材４を製造する横はぎ工程と、前記平板材４を必要な寸法にカットして板材５を製造するカット工程と、からなる。
【０００７】
【発明の実施の形態】本発明に係る板材製造方法の実施形態を、図１に示す。この板材製造方法は、切断工程、切落とし工程、横はぎ工程およびカット工程からなる。
【０００８】
切断工程では、間伐材や小径木を含む丸太１を、その長手方向に沿って所定厚さに切断し、複数の原板材２を製造する。次の切落とし工程では、各原板材２の両側端部を切り落とし、台形状の台形板３に製造する。これにより、両側端面が前面および後面に対して垂直面を形成する台形板３とすることができる。
【０００９】
続く横はぎ工程では、複数の台形板３を、その末口（細い方の切り口）Ｔと元口（太い方の切り口）Ｂが交互に位置するように配し、両側端面同士を接着剤を介して横はぎし、長方形状の平板材４を製造する。このとき、台形板３の両側端面は、前面および後面に対して垂直面を形成しているので、接着剤によって強固に接着することができる。また、この横はぎ工程では、末口Ｔと元口Ｂが交互に位置するように台形板３を配しているので、効率的に長方形状の平板材４を製造することができる。そして、カット工程では、平板材４を必要な寸法にカットして最終製品である板材５を製造する。
【００１０】
本実施形態に係る板材製造方法は、こうした工程を備えるので、丸太１から板材５を、高い歩留まり率で製造することができる。丸太１は末口Ｔと元口Ｂを有しているが、この製造方法では、それを利用して台形板３を製造し、その台形板３を、末口Ｔと元口Ｂが交互に位置するように配して長方形状の平板材４を製造しているので、高い歩留まり率を得ることができる。
【００１１】
【発明の効果】本発明に係る板材製造方法は、間伐材や小径木を含む丸太１を、長手方向に切断して複数の原板材２を製造する切断工程と、原板材２の両側端部を切り落とし、該原板材２を台形状の台形板３に製造する切落とし工程と、台形板３を複数、その末口Ｔと元口Ｂを交互に配し、接着剤を介して横はぎし、平板材４を製造する横はぎ工程と、平板材４を必要な寸法にカットして板材５を製造するカット工程とからなるので、丸太１から板材５を、高い歩留まり率で製造することができる。
【図面の簡単な説明】
【図１】本発明に係る板材製造方法の実施形態を示す工程図である。
【符号の説明】
１　　　丸太
２　　　原板材
３　　　台形板
４　　　平板材
５　　　板材
Ｔ　　　末口
Ｂ　　　元口
【図１】
2004130694.tif 000003
(57)【要約】　　　（修正有）【課題】部品の軽量化のために、発泡剤入り樹脂を射出し、射出完了後、可動金型を後退させて発泡させる工法が公知技術として知られている。自動車内装部品等においては、部品の取り付け部や相手部品との嵌合部等、形状精度と強度が必要な部位が多く、軽量化のための発泡部位と非発泡部位を一体的に構成出来ることが望ましい。【解決手段】本発明は、金型による冷却で形成されるスキン層（固化層）のみで充填し得る肉厚で形成された格子構造あるいはハニカム構造により、必要な部位を非発泡にするものである。【選択図】　　　　図２
2004130634.tif 000002
【特許請求の範囲】
【請求項１】
発泡剤入り樹脂を射出し、射出完了後、可動金型を後退させて発泡させる工法において、可動型と固定型で挟まれた部位で、発泡が望ましくない部位について、金型による冷却で形成されるスキン層（固化層）のみで充填し得る肉厚で形成された格子構造あるいはハニカム構造で構成される内装材の構造。
【発明の詳細な説明】
【０００１】
【産業上の利用分野】本発明は、自動車内装部品等の構造に関する。
【０００２】
【従来の技術】部品の軽量化のために、発泡剤入り樹脂を射出し、射出完了後、可動金型を後退させて発泡させる工法が公知技術として知られている。
【０００３】
【発明が解決しようとする課題】自動車内装部品等においては、部品の取り付け部や相手部品との嵌合部等、形状精度と強度が必要な部位が多く、軽量化のための発泡部位と非発泡部位を一体的に構成出来る構造が望ましい。従来技術において、可動型を後退させて樹脂内圧を減圧し、樹脂内溶融ガスを発泡させているので、例えば可動型で両側を挟まれるリブのような部位は減圧がされないため、非発泡とすることが出来ていた。一方、可動型と固定型で挟まれた部位で、部分的な必要部位を非発泡にすることが出来なかった。本発明は簡単な構造により、部分的に非発泡部位を実現させるものである。
【０００４】
【課題を解決する為の手段】非発泡の必要な部位を例えば格子構造により、樹脂充填時に金型で冷却されたスキン層（固化層）のみで形成する。
【０００５】
【作用】本発明の構造によれば、格子構造をとった部位は充填時に固化しているので、可動型が後退しても発泡することがない。
【０００６】
【実施例】（実施例１）以下、本発明の実施例につき、図面を参照して説明する。
【０００７】
【図１】（ａ）、（ｂ）、（ｃ）は本発明の実施例の工程の一部の説明図である
【０００８】図中（ａ）は充填状態を示す。図中左側は本発明の実施例、右側は従来手法をあらわしている。実施例では、部品の取り付け部位の例を示す。
【０００９】充填時において、樹脂は固定型２と可動型３により冷却され、金型接触面に固化されたスキン層１．Ｂが形成される。本発明の実施された左側の構造の場合、格子構造をとっているため、格子部の肉厚が薄くスキン層１．Ｂのみで充填される。従来構造では、部品取り付け部１．ロの肉厚が厚いため溶融樹脂層１．Ａが残っている。
【００１０】図（ｂ）は発泡のために稼動型を後退した直後の状態を示している。
【００１１】図（ｃ）は稼動型が後退し、樹脂の内圧が減圧されたため溶融樹脂内のガスが発泡し発泡層が形成された状態を示している。従来構造では部品取り付け部１．ロに溶融樹脂が発泡するが、量が不十分であるため、金型に接することが出来ない。このため従来構造では成行き形状に発泡することになる。本発明の実施例では部品取り付け部に溶融樹脂が存在しないため、図（ａ）の形状に保持される。このため、本発明によれば部品取り付け部１．イは寸法精度が良く、又、十分な強度を持つことが出来る。
【００１２】
【発明の効果】実施例の説明から明らかなように、本発明によれば、金型や工程を複雑にすることなく、合理的に非発泡部位を形成できる。
【図面の簡単な説明】
【図１】（ａ）、（ｂ）、（ｃ）は本発明の実施例の工程の一部の説明図である
【図２】本発明の実施例で、非発泡部位を利用して、部品が取り付けられた状態を示す。
【符号の説明】
１　樹脂
１．Ａ　溶融樹脂層
１．Ｂ　スキン層（固化層）
１．Ｃ　発泡層
１．イ　本発明による部品取り付け部
１．ロ　従来構造の部品取り付け部
２．固定型
３．可動型
【図１】
2004130634.tif 000003
【図２】
2004130634.tif 000004
(57)【要約】【目的】グライダーや飛翔機の、羽摶き翼の作動負荷を軽減し、少ないエネルギーで、グライダーや飛翔機の浮力を造ることが出来るようにする。【構成】羽摶き翼の重力による作動負荷を整合弾性体装置で軽減し、場合によっては空気抵抗軽減翼を羽摶き翼に用いて空気抵抗による作動負荷を軽減する。【特許請求の範囲】
【請求項１】
（イ）胴体及び、左右一枚ずつ又は左右２枚ずつで、軸を中心に回動上下する翼、又は複葉の上下何れかが軸を中心に回動上下する翼、及び尾翼、及び滑走器具を設ける。
（ロ）複数の弾性体を回動可能な複数の取付器具に取付け周回連繋した機構の装置とし、この装置の弾力が、回動上下する（以下羽摶くと称する）翼の羽摶きの際の作動負荷と、必要作動距離間一定範囲の釣合い状態、又は強弱の割合の一定範囲の同一を保ち得る機構（以下この装置を整合弾性体装置と称する）とする。
（ハ）この整合弾性体装置を胴体部分に取付け、その取付位置が、羽摶き翼より高い位置の場合は、この装置の一方の最端の弾性体又はその取付器具を羽摶き翼の上方に取付け、他方の最端の弾性体又はその取付器具を固定する。整合弾性体装置の取付け位置が羽摶き翼より低い位置の場合は、羽摶き翼に下方から作用を及ぼす為に設けられたテコ機具に、一方の最端の弾性体又はその取付器具を取付け、他方を固定する。
（ニ）胴体内に、ねじり装置を設けたゴム紐又は電動で回転するクランク装置を設け、このクランクの回転により翼を羽摶く機構とする。
以上の様な機構により、ゴム紐又は電動によりクランクを回転させ翼を羽摶くことにより飛翔する飛翔機。
【請求項２】
グライダーの、翼の上方又は前方に、請求項１のイ及びロ及びハと同様な機構の小型の翼を設け、胴体内に、操縦者によるペダルの回転により回転する、又は電動やその他の動力により回転するクランク装置設け、このクランクの回転により羽摶き翼が羽摶く機構とする。
以上の様な機構により、グライダーの滞空時間を延長する様に構成されたことを特徴とするグライダー
【請求項３】
請求項１のイ及びロ及びハと同様に構成された飛翔機の胴体内に、ペダルの回転又は電動機やその他の動力の回転により回転するクランク装置を設け、このクランクの回転により翼を羽摶く機構とする。
以上の様な機構により、操縦者がペダルにより、又は電動機等の動力によりクランクを回転させ、翼を羽摶かせることにより飛翔する飛翔機。
【請求項４】
上方に羽摶く時は開き、下方に羽摶く時は閉じる穴を翼に有する、又は鳥の羽根同様の通気性翼であることを特徴とする請求項１及び３の飛翔機及び請求項２のグライダー。
【請求項５】
請求項１の整合弾性体装置と同様の弾性を有する様に構成された、単数の弾性体による整合弾性体装置を用いたことを特徴とする、請求項１及び２及び３及び４の飛翔機及びグライダー。
【請求項６】
請求項１及び２及び３及び４及び５記載の整合弾性体装置により、翼羽摶きの際の作業負荷を軽減する方法及び請求項２及び３及び４に記載する飛翔に関する方法
【発明の詳細な説明】
【０００１】
【産業上の利用分野】
この発明は、玩具、実用としてスポーツ用等が主な利用分野である。
【０００２】
【従来の技術】
請求項１の従来の技術　（１）特開平０４−５０３６１５
請求項２の従来の技術　（１）特開平０３−１４８３９６
（２）特開平０７−３３０９２
請求項３の従来の技術　（１）特開平０９−２４９１９７
（２）特開平０５−１７８２９３
【０００３】
【発明が解決しようとする課題】
翼羽摶きの際の、作動負荷を軽減し、少ないエネルギで飛翔機、グライダー等の浮力を得ることである。
【０００４】
【課題を解決する為の手段】
引バネ、押バネ、ゴム、等の弾性体による整合弾性体装置や、開閉自由の穴開き翼や通気性翼を利用する。
【０００５】
【作用】
整合弾性体装置により、羽摶きの際の翼の重量による作動負荷を軽減し、開閉自由の穴開き翼や通気性翼により羽摶きの際の空気抵抗による作動負荷を軽減する。
【０００６】
【実施例１】
図１は、請求項１のうち、ゴムを動力とした飛翔機で、整合弾性体装置を翼より高い位置に設置した図である。
図２は、図１のクランク装置、テコ機構の拡大図である。
図３は、同じく請求項１の実施例のうち、整合弾性体装置を翼より低い位置に設置した場合の拡大図である。
【０００７】
【実施例２】
図４は、請求項２記載のグライダーの実施例中、小型の羽摶き翼（２）を本来の翼（６）の上方に設置した図であり、操縦者によるペダルの回転により、又は操縦者の操作による電動機その他の動力により羽摶き、滞空時間を延長する
【０００８】
【実施例３】
図５は、請求項３の実施例中、整合弾性体装置を羽摶き翼より低位置に設置した図で、操縦者によるペダルの回転により、又はその操作する電動機やその他の動力によりクランクを回転させ、羽摶き翼（２）を羽摶き飛翔する図である。
【０００９】
【実施例４】
図６は、請求項４のうち穴開き翼の図で翼を上方から見た図である。
図７は、上同翼を下方から見た図で、翼を上方に羽摶始め、開閉機構の装置（８）が空気抵抗により開き、空気抵抗を軽減している状態を示す。
【０００１０】
【発明の効果】
整合弾性体装置を利用し、又場合により空気抵抗を軽減する翼を利用することにより、少ないエネルギーで多くの浮力を得ることが出来る。
【図面の簡単な説明】
【図１、図２、図３】請求項１の実施例。
【図４】請求項２の実施例
【図５】請求項３の実施例。
【図６、図７】請求項４の実施例。
【符号の説明】
１　整合弾性体装置
２　羽摶き翼
３　テコ装置
４　胴体
５　クランク装置
６　グライダーの本来の翼
７　請求項４の穴開き翼の穴部分。
８　上同翼の穴開閉装置
【図１】
2004130049.tif 000002
【図２】
2004130049.tif 000003
【図３】
2004130049.tif 000004
【図４】
2004130049.tif 000005
【図５】
2004130049.tif 000006
【図６】
2004130049.tif 000007
【図７】
2004130049.tif 000008
(57)【要約】【課題】上戸（２）と水抜き穴（３）を設けた、洗い桶（１）を提供する【解決手段】洗い桶（１）上部端より、取り外し可能な上戸（２）をガイド（４）に差し込み、洗い桶（１）横中央部の所に、１ｃｍ２以下の水抜き穴（３）を設けた事を特徴とする。【選択図】　　図１
2004130043.tif 000002
【特許請求の範囲】
【請求項１】
洗い桶（１）の上部端より取り外し可能な上戸（２）を、ガイド（４）に沿って差し込み、洗い桶（１）の横中央部の所に、１ｃｍ２以下の水抜き穴（３）を設け、沸騰した湯の入った薬缶、又は鍋等を少量の水道水で常温から３０℃程度に、早く冷却する事が出来る洗い桶。
【発明の詳細な説明】
【０００１】
【発明の属する技術分野】
この発明は、沸騰した湯の入った薬缶、鍋等を少量の水道水で早く冷却する事が出来る、冷却と食器洗いを兼用した洗い桶（１）である。
【０００２】
【従来の技術】
従来、沸騰した湯の入った薬缶、鍋等を冷やす時は、水道の蛇口から直接水を掛けたり、又従来の食器洗い桶に、薬缶、鍋等を入れ水道の蛇口より水を掛け、冷却していた。
【０００３】
【発明が解決しようとする課題】
これは次のような欠点があった。
（イ）水道の蛇口から水が落ちるので水が飛び散った。
（ロ）食器洗い桶の中に入れた薬缶、鍋等が食器洗い桶が深い為、浮かび上がってきて不安定である。
（ハ）食器洗い桶の中の水が、沸騰した湯の入った薬缶、鍋等で熱くなり、水道の蛇口から出る水が表面の熱い湯と混ざり、食器洗い桶の上部よりオーバーフローし、水道の冷たい水まで外に出て冷却速度が遅い。
【０００４】
【課題を解決する為の手段】
洗い桶（１）の端から、ガイド（４）に沿って取り外し可能な上戸（２）を差し込み、洗い桶（１）横部に水抜き穴（３）を設けた構造よりなる、冷却と食器洗いを兼用出来る洗い桶である。
【０００５】
【発明の実施の形態】
以下、本発明の実施例について説明する
（イ）洗い桶（１）の横、中央部分に１ｃｍ２以下の水抜き穴（３）を設ける。
（ロ）洗い桶（１）の端に、上戸（２）取り付け用ガイド（４）を設ける。
（ハ）上戸（２）は図１のように洗い桶（１）底近くまで先を長く設ける。
本発明は、以上のような構造で、これを使用する時は、熱い沸騰した薬缶、鍋等を冷却する場合、洗い桶（１）端に上戸（２）をガイド（４）に沿って差し込み、洗い桶（１）の中に薬缶、鍋等を入れ、水道の蛇口より上戸（２）から少量の水を出す事により、洗い桶（１）の中の水は、熱い薬缶、鍋等により熱せられるが、上戸（２）より入った水は、洗い桶（１）の底部より熱い湯を押し上げる為、熱い湯は水抜き穴（３）によりオーバーフローし、薬缶、鍋等内の湯及び、洗い桶（１）内の薬缶、鍋等により熱せられた湯を、早く冷却する事が出来る。又食器洗いで使用する場合、水抜き穴（３）が小さい為、少量の水が出るが水道の蛇口より出る水の量が多い為、食器洗いに差しつかえがない。
【０００６】
【発明の効果】
上戸（２）を、洗い桶（１）に設けた為、水道の蛇口から出る水は飛び散らなくなり、又熱い沸騰した薬缶、鍋等の湯を、早く冷却することが出来る。
【図面の簡単な説明】
【図１】本発明の斜視図である。
【図２】本発明の断面図である。
【図３】本発明の上戸部の断面図である。
【符号の説明】
１　洗い桶
２　上戸
３　水抜き穴
４　ガイド
【図１】
2004130043.tif 000003
【図２】
2004130043.tif 000004
【図３】
2004130043.tif 000005
(57)【要約】【課題】書棚や飾り棚等の収納棚において、棚板間の段幅を簡便に変更できる可動棚板を有する収納棚を提供する。【解決手段】可動棚板の左右の辺の対向する部位に、上下方向に貫通する切り欠きを設ける。【選択図】　図１
2004130044.tif 000002
【特許請求の範囲】
【請求項１】
棚受けダボに載置される可動棚板を有する収納棚において、棚板の左右の辺に上下方向に貫通する切り欠きを設けたことを特徴とする収納棚。
【発明の詳細な説明】
【０００１】
【発明の属する技術分野】
本発明は、書棚や飾り棚等の収納棚について、可動棚板をより簡便に移動させることができる収納棚に関するものである。
【０００２】
【従来の技術】
従来の収納棚に用いられている可動棚板は、上または下から見たとき、ほぼ長方形の一枚の平板からなり、棚受けダボに載置されている。
【０００３】
【発明が解決しようとする課題】
従来の収納棚では可動棚板を移動するとき、棚板のほぼ全体を収納棚の手前に引き出すか、棚板を傾けて棚受けダボに掛からないようにして移動しなければならず、煩わしい作業が必要だった。本発明は、可動棚板をもっと簡便に移動させることを可能にしようとするものである。
【０００４】
【課題を解決するための手段】
可動棚板の左右の辺の対向部位に、上下方向に貫通する切り欠きを設ける。
【０００５】
【発明の実施の形態】
図１は本発明の実施例を示す収納棚（１）の斜視図である。また、図２は本発明の可動棚板（２）の斜視図である．切り欠き（３）は、切り欠き（３）と奥の辺（４）との距離が棚受けダボ（５）と（６）との距離より小さくなる位置に設ける。また、可動棚板（２）の右辺に他の切り欠き（７）を、切り欠き（３）と対向する同様の位置に設ける。切り欠き（３）及び（７）は上下に貫通する。図３は、本発明の収納棚（１）で、可動棚板（２）の移動時の状態を表す図である。図３に示すように、切り欠き（３）が棚受けダボ（５）の位置と一致するところまで可動棚板（２）を引き出すだけで、可動棚板（２）を上下に移動させることができる。この引き出し距離はわずか数センチメートルであり、従来品と比較して大幅に軽減されている。また、本発明の可動棚板（２）の場合、移動させるときでも可動棚板（２）のほぼ全体が収納棚（１）の中に収まったままであるため、物を載せたままでも物を落とす心配をせずに移動させることができる。
【０００６】
【発明の効果】
本発明の可動棚板（２）は従来の可動棚板と比較して大変簡便に移動させることができるため、物品の整理が行いやすく、また、スペースの有効利用の効果も大きい。
【図面の簡単な説明】
【図１】本発明の実施例を示す斜視図である。
【図２】本発明の要部を示す斜視図である。
【図３】本発明の可動棚板の移動時の状態を示す斜視図である。
【符号の説明】
１収納棚
２可動棚板
３切り欠き
４奥の辺
５棚受けダボ
６棚受けダボ
７切り欠き
【図１】
2004130044.tif 000003
【図２】
2004130044.tif 000004
【図３】
2004130044.tif 000005
(57)【要約】〔課題〕　車椅子を１系統のみで動力走行を可能にする動力走行装置を提供する〔解決手段〕　アクセル兼ハンドル（２）を備へた電動器（１）の回転軸（８）を伝動軸（９）で下方に導き回転角を直角にする傘歯車（１５）（１６）とで中間軸（２１）に伝へ外輪（１７）に走行輪（１９）を下部床面より押圧される事により、動力走行を可能にしたことを特徴とする。【選択図】　図１
2004130051.tif 000002
【特許請求の範囲】
【請求項１】
電動器（１）の上部にアクセル兼ハンドル（２）を設け、電動器持手部（１ａ）に支点（３）と（３ａ）とを設け、変速レバー（４）に押圧可動片（５）を設け、外筒内部に伝動軸（９）を挿設し上に電動回転軸（８）を螺着し、外筒（１０）の上部に結合具（６）で把持し結合板（６ａ）の上部Ｕ字形溝に、持手部（１ａ）を挿着し、回転軸が回転した際外筒の回転を防止するようにし、出力軸（９）は外筒下部の軸受け部（１３）で受け、傘歯車（１５）に結合し、中間軸（２１）に嵌合された傘歯車（１６）に噛み合わせ、走行ゴム動輪（１９）は床面との押圧により軸受け板（１８）支点ピン（２０）との角度の関係により中間軸外輪（１７）に押圧され動力伝達されるようにし、外筒（１０）の外側に外筒受け（１１）を設け支持板（１２）を介し外部装着具（１２ａ）を上下に設ける。以上よりなる車椅子用動力走行装置。
【発明の詳細な説明】
【０００１】
〔発明の属する技術分野〕
この発明は動力輪に電動器及びアクセル兼ハンドルを取付けた車椅子用動力走行装置に関するものである。
【０００２】
〔従来の技術
従来、左右両輪駆動付車輪で車椅子本体に組込まれた動力走行車椅子はあった
【０００３】
〔発明が解決しようとする課題〕
これは次のような欠点があった。
（イ）右左両方の車輪に動力駆動装置が必要で価格高であった。
（ロ）駆動機構が右左に有り重量が重くなり室内に屋内での使用に不向である
（ハ）電器制御系も複雑であった。
本発明は、これらの欠点を除く為になされたものである。
【０００４】
〔課題を解決するための手段〕
電動器（１）の上部にアクセル兼ハンドル（２）を設け、電動器持手部（１ａ）に支点（３）と（３ａ）とを設け変速レバー（４）に押圧可動片（５）を設ける。
外筒（１０）の内部に動力伝動軸（９）を挿設し軸上部に電動器回転軸（８）を螺着する。外筒（１０）の上部に結合具（６）で把持し結合板（６ａ）の上部Ｕ字形溝に電動器持手部（１ａ）を挿着し回転軸が回転した際外筒の回転を防止する。
出力軸（９）は外筒下部の軸受け部（１３）で受け、傘歯車（１５）に結合し、中間軸（２１）に嵌合された傘歯車（１６）に噛み合う。
走行ゴム動輪（１９）は床面との押圧により軸受板（１８）支点ピン（２０）と角度の関係により中間軸外輪（１７）に押圧され動力伝達される。
外筒（１０）の外側に外筒受け（１１）を設け支持板（１２）を介し外部装着具（１２ａ）を上下に設ける。
本発明は以上のような構成よりなる車椅子用動力走行装置である。
【０００５】
〔発明の実施の形態〕
以下、本発明の実施例について説明する。
（イ）電動器（１）の上部にアクセル兼ハンドル（２）を設ける。
（ロ）電動器（１）の持手部（１ａ）に支点（３）（３ａ）を設け変速レバー（４）に押圧可動片（５）を設ける。
（ハ）外筒（１０）の内部に動力伝動軸（９）を挿設し軸上部に電動器出力軸（８）に螺着する。
（ニ）外筒（１０）の上部に結合具（６）を把持し結合板（６ａ）上部のＵ字形溝に電動器（１）の持手部（１ａ）に挿着する。
（ホ）出力軸（９）は外筒下部の軸受部（１３）を通り傘歯車（１５）に押入し、中間軸（２１）に嵌合された傘歯車（１６）に噛み合う。
（ヘ）走行ゴム動輪（１９）は床面との押圧により軸受板（１８）と支点ピン（２０）との角度の関係により中間軸外輪（１７）に押圧され動力伝達される。
（ト）外筒（１０）の外側に外筒受け（１１）を設け支持板（１２）を介し外部装着片（１２Ａ）を上と下に設け車椅子本体に取付可能にした。
（チ）軸受け板（１８）は支点ピン（２０）で支えられ中間輪（１７）と伝動切り離して手動走行ができる。
本発明は以上のような構造で、これを使用するには手動式車椅子の前輪片方を取りはずし本動力走行装置の外部装着具（１２ａ）のＵ溝部を挿設した後車椅子に身体を着座しアクセルハンドル（２）で走行操作します。
【０００６】
〔発明の効果〕
動力器及び動力輪が１系統で済み、シンプルな構造であり軽量になり室内等での使用に良い。操作性が良く練習の必要も無く高齢者にも良い。
【図面の簡単な説明】
【図１】本発明の側面図
【図２】本発明の下部正面図
【図３】本発明のＵ字板正面図
【符号の説明】
１　　電動器
１ａ　持手部
２　　アクセル兼ハンドル
３　　支点具
３ａ　支点
４　　変速レバー
５　　押圧可動片
６　　結合具
６ａ　結合板
７　　バッテリー
８　　電動器回転軸
９　　伝動軸
１０　　外筒
１１　　外筒受け
１２　　支持板
１２ａ　外部装着具
１３　　軸受け部
１４　　軸受け箱
１５　　傘歯車
１６　　傘歯車
１７　　中間軸外輪
１８　　軸受け板
１９　　ゴム動輪
２０　　支点
２１　　取付ネジ
２２　　動輪軸
【図１】
2004130051.tif 000003
【図２】
2004130051.tif 000004
【図３】
2004130051.tif 000005
(57)【要約】　　　（修正有）【課題】従来の突っ張り棒では、取付ける場所に必要な長さにまで予め棒の長さを調整し、取付ける際に棒を持ったままの状態で棒の端部を握って回転させなければならなかった。これらの一連の動作は、取付けに多くの時間と手間を要した。本発明は、このような従来技術の問題点に着目したもので、突っ張り棒の取付けおよび取外しが容易である器具を提供することを目的とする。【解決手段】上記目的を達成するため取付け取外しの簡便さを求めた結果、向かい合う壁面の幅より長い棒状本体からなり、棒状本体の１つの先端部にゴムシート等の滑り止めを設けておくことで壁面取付け時に落下しない機能を具備し、吊り下げ具を吊るすことができるように引っ掛け部を棒状本体に数箇所設けたもので、本体の素材が合成樹脂、アルミニウム又は紙（ダンボール）等の軽量素材を使用する取付け取外しが簡単な突っ張り棒を発明した。【選択図】図１
2004130038.tif 000002
【特許請求の範囲】
【請求項１】
向かい合う壁面の幅より長い棒状本体からなり、棒状本体の１つの先端部にゴムシート等の滑り止めを設けておくことで壁面取付け時に落下しない機能を具備した取付け取外しが簡単な突っ張り棒。
【請求項２】
前記棒状本体に吊り下げ具を吊るすことができるように引っ掛け部を設けたものである請求項１に記載の取付け取外しが簡単な突っ張り棒。
【請求項３】
前記棒状本体を長さ調整のための伸縮機能を具備する請求項１又は２に記載の取付け取外しが簡単な突っ張り棒。
【請求項４】
前記棒状本体の素材が合成樹脂、アルミニウム又は紙（ダンボール）等の軽量素材を含むものである請求項１から３の何れかに記載の取付け取外しが簡単な突っ張り棒。
【発明の詳細な説明】
【０００１】
【発明の属する技術分野】本発明は、向かい合う壁面に突っ張らせて固定する棒に係り、吊り下げ具を吊るすための突っ張り棒に関するものである。
【０００２】
【従来の技術】向かい合う壁面に突っ張らせて固定する突っ張り棒は、圧着用のバネの力の調整に棒の端部を回転して、取付ける器具が多く出回っている。
【０００３】
【発明が解決しようとする課題】しかし、これには次のような欠点があった。
従来の突っ張り棒では、取付ける場所に必要な長さにまで予め棒の長さを調整し、取付ける際に棒を持ったままの状態で棒の端部を握って回転させなければならなかった。これらの一連の動作は、取付けに多くの時間と手間を要した。本発明は、このような従来技術の問題点に着目したもので、突っ張り棒の取付け、更には取外しが容易である器具を提供することを目的とする。
【０００４】
【課題を解決するための手段】上記目的を達成するため取付け取外しの簡便さを求めた結果、向かい合う壁面の幅より長い棒状本体からなり、棒状本体の１つの先端部にゴムシート等の滑り止めを設けておくことで壁面取付け時に落下しない機能を具備し、吊り下げ具を吊るすことができるように引っ掛け部を棒状本体に数箇所設けたもので、本体の素材が合成樹脂、アルミニウム又は紙（ダンボール）等の軽量素材を使用する取付け取外しが簡単な突っ張り棒を発明した。
【０００５】
【発明の実施の形態】以下、本発明品の実施の形態について、図１を参照して説明する。まず向かい合う壁面の幅より長い棒状本体の板の周囲を壁面に対し、設置し易くするために、断面形状をＴ字型にし、壁面に接する両端を丸くした棒状本体（１）の一方に滑り止めのためのゴムシート（２）を取付け、板面に引っ掛け穴（３）を設けて完了する。本発明は以上のような構成により生み出した。
【０００６】
以下、本発明品の使用方法については図２を参照して説明する。
まず取付けようとする壁面に本発明品の滑り止めのゴムシートが付いた先端部を下にし、その先端部を壁面に密着させる。この状態でもう一方の先端部を下げるだけで壁面に本発明品は固定でき、洗濯物干しハンガー等を吊るすことが可能となる。取外す時は、これらと逆の動作とする。本発明品は大きさや形状を変えることで向かい合う壁面があるところであれば洗濯物干しハンガー用に限らず、全ての吊りもの等にも利用出来るものである。
【０００７】
【発明の効果】取付けの際の長さ調整が必要なく、力もいらない。また、容易に取外すことができ、利用するのが楽である。
【図面の簡単な説明】
【図１】
【図２】
【符号の説明】
（１）・・・棒状本体　　（２）・・・ゴムシート（滑り止め）
（３）・・・引っ掛け穴
【図１】
2004130038.tif 000003
【図２】
2004130038.tif 000004